(57)【要約】      （修正有）【課題】送風機ユニットと熱交換器ユニットの組み立てを容易に行うことができるようにする。【解決手段】送風機ユニット２０の接合面Ｈ１と熱交換器ユニット３０の接合面Ｈ２とを合わせることで組み立てられるダクト型空気調和機である。第１の接合面Ｈ１には、上角部の横方向に上方向に傾斜した押えプレート２３ｂを形成するとともに、下角部の横方向に下方向に傾斜した乗せ突起プレート２３ｃが形成する。第２の接合面Ｈ２には、上角部の横方向の上面に押えプレート２３ｂが乗るよう上方向に傾斜した上部受けプレート３６ａを形成するとともに、下角部の横方向に乗せ突起プレート２３ｃが乗るように下方向に傾斜した下部受けプレート３４ａを形成する。第１の接合面Ｈ１の上下方向の中央部には縦向きにガイド孔２３ｄを形成し、第２の接合面Ｈ２の上下方向の中央部にはガイド孔２３ｄにガイドされる縦姿勢のガイド突起体３５を設ける。【選択図】図２
2016173205.tif 000002
【特許請求の範囲】
【請求項１】
一方の端面に空気吸込口又は空気吹出口のいずれかが設けられ、他方の端面に第１の開口を有する第１の接合面が設けられた直方体形状の第１の筐体、および該第１の筐体の内部に設けられた送風ファンを有する送風機ユニットと、
一方の端面に前記空気吸込口又は前記空気吹出口の内の前記送風機ユニットに設けられていない側が設けられ、他方の端面に第２の開口を有する第２の接合面が設けられた直方体形状の第２の筐体、および該第２の筐体の内部に取り付けられた熱交換器とドレンパンを有する熱交換器ユニットと備え、
前記送風機ユニットの前記第１の接合面と前記熱交換器ユニットの前記第２の接合面とを合わせるように組み立てて構成したダクト型空気調和機において、
前記第１の接合面と前記第２の接合面の一方には、上角部の横方向に上方向に傾斜した押えプレートが形成されるとともに、下角部の横方向に下方向に傾斜した乗せ突起プレートが形成され、
前記第１の接合面と前記第２の接合面の他方には、上角部の横方向に前記押えプレートが乗るよう上方向に傾斜した上部受けプレートが形成されるとともに、下角部の横方向に前記乗せ突起プレートが乗るよう下方向に傾斜した下部受けプレートが形成され、
かつ、前記第１の接合面と前記第２の接合面の一方の上下方向の中央位置の両側には、縦向きにガイド孔が形成され、
前記第１の接合面と前記第２の接合面の他方の上下方向の中央位置の両側には、前記ガイド孔にガイドされる縦姿勢のガイド突起体が取り付けられていることを特徴とする、
ダクト型空気調和機。
【請求項２】
請求項１に記載のダクト型空気調和機において、
前記ガイド孔は、上端が幅広で下端が幅狭の楔形状であることを特徴とするダクト型空気調和機。
【請求項３】
請求項２に記載のダクト型空気調和機において、
前記ガイド孔の前記下端の横幅が前記ガイド突起体の横幅に対応していることを特徴とするダクト型空気調和機。
【請求項４】
請求項１、２又は３に記載のダクト型空気調和機において、
前記ガイド突起体は、上下方向の中央が突出するよう上下にスロープが形成された山型の縦板からなることを特徴とするダクト型空気調和機。
【発明の詳細な説明】
【技術分野】
【０００１】
本発明は、室内の天井裏や壁面裏等に配置されるダクト型空気調和機に関する。
【背景技術】
【０００２】
従来のダクト型空気調和機１００として、例えば図６に示すように、室内天井板７０と建屋天井壁８０との間に、吊具Ｂ１、Ｂ２によって懸架されるものがある。このダクト型空気調和機１００は、直方体形状の板金製の筐体１１０内の、空気吸込口１１１と空気吹出口１１２の間を結ぶ空気流通路に、送風ファン４０と熱交換器５０を配置して構成されている。熱交換器５０の下部にはドレンパン６０が配置されている。
【０００３】
そして、空気吸込口１１１は、吸込ダクト９０Ａを介して室内天井板７０に取り付けられた吸込グリル７１に接続されている。また、空気吹出口１１２は、吹出ダクト９０Ｂを介して室内天井板７０に取り付けられた吹出グリル７２に接続されている。
【０００４】
このようなダクト型空気調和機１００は、例えば、大容量タイプの場合は、その形状が大きくなって設置場所への搬入が困難になる場合あるので複数個のユニットに分割して構成し、設置場所に設置する際にそれらを１個のダクト型空気調和機１００に組み立てることが行われる。
【０００５】
例えば、空気調和機１００を２個に分割する場合は、図７、図８に示すように、送風機ユニット２００と熱交換器ユニット３００とに分割する(例えば特許文献１）。そして、送風機ユニット２００の筐体２１０における空気吹出口２１１と反対側の熱交換器ユニット３００との接合面Ｈ３において、その上角部に上方向に傾斜した押えプレート２１２を設けるとともに、その下角部に下方向に傾斜した乗せ突起プレート２１３を設け、さらに接合面Ｈ３の中央よりも上部の両側にそれぞれガイド突起２１４を設ける。
【０００６】
一方、熱交換器ユニット３００における空気吹出口３１１と反対側の送風機ユニット２００の接合面Ｈ３と向き合う接合面Ｈ４において、その上角部に上方向に傾斜した受け斜面３１２を設けるとともに、その下角部に上方向に傾斜した受けプレート３１３を設け、さらに接合面Ｈ４の両側にそれぞれガイド縦プレート３１４を設ける。
【０００７】
このように送風機ユニット２００と熱交換器ユニット３００を構成すると、空気調和機の設置場所において、まず熱交換器ユニット３００を平坦部に載せてから、その接合面Ｈ４に送風機ユニット２００の接合面Ｈ３を対向させてその送風機ユニット２００を若干持ち上げ、その送風機ユニット２００の乗せ突起プレート２１３を熱交換器ユニット３００の受けプレート３１３に載せて、送風機ユニット２００の押えプレート２１２が熱交換器ユニット３００の受け斜面３１２に接合するように、送風機ユニット２００を熱交換器ユニット３００に対して押し付ける。
【０００８】
このとき、図８に示すように、送風機ユニット２００のガイド突起２１４の外側にテーパ面２１４ａを予め設けておくことにより、そのテーパ面２１４ａが熱交換器ユニット３００の両側のガイド縦プレート３１４の内側に入り込み、送風機ユニット２００の接合面Ｈ３と熱交換器ユニット３００の接合面Ｈ４が密着接合する。そこで、送風機ユニット２００の押えプレート２１２を熱交換器ユニット３００の受け斜面３１２に対して、ネジ止めすれば、送風機ユニット２００と熱交換器ユニット３００が一体化された空気調和機１００となる。
【先行技術文献】
【特許文献】
【０００９】
【特許文献１】特許５３２２９６４号公報
【発明の概要】
【発明が解決しようとする課題】
【００１０】
しかしながら、図７、図８に記載のダクト型熱交換器１００は、送風機ユニット２００の２個のガイド突起２１４の外側のテーパー面２１４ａが、熱交換器ユニット３００の２個のガイド縦プレート３１４の内側にほぼ合致するように、最初から横方向の位置合わせをしなければならず、手間がかかる。例えば、その位置合わせが不十分な場合は、２個のガイド突起２１４の一方が２個のガイド縦プレート３１４の間に位置して、２個のガイド突起２１４の他方が両ガイドプレート３１４の外側に位置する場合がある。
【００１１】
また、上下方向に関しても、ガイド突起２１４を送風機ユニット２００の上部に設けているため、ガイド突起２１４をガイド縦プレート３１４に合わせる作業が組み立ての最終段階となる、つまり位置合わせが初期の段階で行われないので、送風機ユニット２００と熱交換器ユニット３００の下部の接合のやり直しが必要となる場合があった。
【００１２】
本発明の目的は、送風機ユニットと熱交換器ユニットの組み立てを容易に行うことができるようにしたダクト型空気調和機を提供することである。
【課題を解決するための手段】
【００１３】
上記目的を達成するために、請求項１にかかる発明は、一方の端面に空気吸込口又は空気吹出口のいずれかが設けられ、他方の端面に第１の開口を有する第１の接合面が設けられた直方体形状の第１の筐体、および該第１の筐体の内部に設けられた送風ファンを有する送風機ユニットと、一方の端面に前記空気吸込口又は前記空気吹出口の内の前記送風機ユニットに設けられていない側が設けられ、他方の端面に第２の開口を有する第２の接合面が設けられた直方体形状の第２の筐体、および該第２の筐体の内部に取り付けられた熱交換器とドレンパンを有する熱交換器ユニットと備え、前記送風機ユニットの前記第１の接合面と前記熱交換器ユニットの前記第２の接合面とを合わせるように組み立てて構成したダクト型空気調和機において、前記第１の接合面と前記第２の接合面の一方には、上角部の横方向に上方向に傾斜した押えプレートが形成されるとともに、下角部の横方向に下方向に傾斜した乗せ突起プレートが形成され、
前記第１の接合面と前記第２の接合面の他方には、上角部の横方向に前記押えプレートが乗るよう上方向に傾斜した上部受けプレートが形成されるとともに、下角部の横方向に前記乗せ突起プレートが乗るよう下方向に傾斜した下部受けプレートが形成され、かつ、前記第１の接合面と前記第２の接合面の一方の上下方向の中央位置の両側には、縦向きにガイド孔が形成され、前記第１の接合面と前記第２の接合面の他方の上下方向の中央位置の両側には、前記ガイド孔にガイドされる縦姿勢のガイド突起体が取り付けられていることを特徴とする。
【００１４】
請求項２にかかる発明は、請求項１に記載のダクト型空気調和機において、前記ガイド孔は、上端が幅広で下端が幅狭の楔形状であることを特徴とする。
【００１５】
請求項３にかかる発明は、請求項２に記載のダクト型空気調和機において、前記ガイド孔の前記下端の横幅が前記ガイド突起体の横幅に対応していることを特徴とする。
【００１６】
請求項４にかかる発明は、請求項１、２又は３に記載のダクト型空気調和機において、前記ガイド突起体は、上下方向の中央が突出するよう上下にスロープが形成された山型の縦板からなることを特徴とする。
【発明の効果】
【００１７】
本発明によれば、ガイド孔とガイド突起体が上下方向のほぼ中央位置に設けられるので、それらを上部に設けた場合に比べて、第１の接合面と第２の接合面を合わせる作業におけるガイド孔とガイド突起体の位置合わせが組み立ての初期に行われることになるので、第１の接合面と第２の接合面の合わせ作業のやり直しが生じ難くなり、接合作業が容易となる。また、ガイド孔を上端が幅広で下端が幅狭の楔形状にすることで、ガイド突起体をガイド孔の上端近くに入れ易くなる。さらに、ガイド孔の下端の幅をガイド突起体の幅に対応させることで、ガイド孔にガイド突起体が嵌合状態で結合されるので、ズレが生じ難くなりガタツキを防止できる。
【図面の簡単な説明】
【００１８】
【図１】本発明の実施例のダクト型空気調和機の斜視図である。
【図２】図１のダクト型空気調和機の分割展開図である。
【図３】図１のダクト型空気調和機の左側面図である。
【図４】図１のダクト型空気調和機のガイド突起の斜視図である。
【図５】図１のダクト型空気調和機の送風機ユニットと熱交換器ユニットの結合部分の説明図である。る。
【図６】従来のダクト型空気調和機の取付説明図である。
【図７】従来のダクト型空気調和機の組み立て説明図である。
【図８】従来のダクト型空気調和機の組み立て説明用の一部平面図である。
【発明を実施するための形態】
【００１９】
図１〜図３、図５に本発明の実施例のダクト型空気調和機１０を示す。ダクト型空気調和機１０は、送風機ユニット２０と熱交換器ユニット３０とを結合することで構成される。送風機ユニット２０は、筐体２１とその筐体２１の内部に横並びで取り付けられる２個の送風ファン４０からなる。熱交換器ユニット３０は、筐体３１とその筐体３１の内部に取り付けられる熱交換器５０とドレンパン６０（図５参照）とからなる。
【００２０】
送風機ユニット２０の筐体２１は、直方体形状であり、一つの面に空気吸込口２２が形成され、その空気吸込口２２と反対側には、熱交換器ユニット３０の接合面Ｈ２と向き合う接合面Ｈ１に接合板２３が設けられ、その接合板２３に２個の開口２３ａが形成されている。この開口２３ａの内側に送風ファン４０が組み込まれる。
【００２１】
また、その接合板２３の上角部の横方向には、上方向に開くように傾斜した押えプレート２３ｂが曲折して形成されている。また、その接合板２３の下角部の横方向には、下方向に開くように傾斜した乗せ突起プレート２３ｃが曲折して形成されている。そして、接合板２３の両側には、上下方向のほぼ中央位置に縦向きにガイド孔２３ｄがそれぞれ形成されている。
【００２２】
このガイド孔２３ｄは、図４の（ａ）に示すように、上端２３ｄ１が幅広で、下端２３ｄ２が後記するガイド突起体３５の板厚に対応した幅狭の形状となっている。
【００２３】
熱交換器ユニット３０の筐体３１も、直方体形状であり、一方の面に空気吹出口３２が形成され、その空気吹出口３２と反対側の接合面Ｈ２には、その送風機ユニット２０の接合板２３と向き合う接合縦板３３が両側にそれぞれ形成され、下側にも送風機ユニット２０の接合板２３と向き合う接合横板３４が形成されている。そして、それぞれの接合縦板３３の上下方向のほぼ中央位置に、突起片３５ａが縦姿勢で突出するようにガイド突起体３５がそれぞれ取り付けられている。
【００２４】
このガイド突起体３５は、図４（ｂ）に示すように、突起片３５ａと取付片３５ｂを備える。突起片３５ａは、取付片３５ａの両側を直角に反対方向に曲折することで２個形成されている。突起片３５ａは、側面視で中央部分３５ａ１が高くなり、その中央から上下方向にスロープ３５ａ２が形成された山形となっている。このガイド突起体３５は、送風機ユニット２０の接合面Ｈ１を熱交換器ユニット３０の接合面Ｈ２に密着させた際に、ガイド孔２３ｄの幅狭の下端２３ｄ２に嵌合する上下位置に取り付けられている。２個の突起片３５ａの一方は、取付片３６ｂのネジ穴３５ｂ１にネジを挿通して接合縦板３３の裏面から取り付ける際に、指で掴む部分となる。
【００２５】
また、接合横板３４の下角部の横方向には、上方向に開くように傾斜した下部受けプレート３４ａが曲折して形成されている。さらに、筐体３１の上板３６における送風機ユニット２０との接合すべき上角部の横方向には、下方向に傾斜した上部受けプレート３６ａが曲折して形成されている。
【００２６】
この熱交換器ユニット３０では、両側の接合縦板３３、下側の接合横板３４、および受けプレート３６ａで囲まれた内側が、送風機ユニット２０の２個の開口２３ａから送られる空気を受け入れる開口３７となる。
【００２７】
さて、空気調和機の設置場所においてダクト型空気調和機１００を組み立てるには、送風機ユニット２０に予め送風ファン４０を込みこんでおき、また、熱交換器ユニット３０には予め熱交換器５０とドレンパン６０を組み込んでおく。そして、熱交換器ユニット３０を設置場所の平坦部に載置してから、その熱交換器ユニット３０の接合面Ｈ２に対して、送風機ユニット２０の接合面Ｈ１を対向させてその送風機ユニット２０を若干持ち上げ、その送風機ユニット２０の下部の乗せ突起プレート２３ｃを熱交換器ユニット３０の下部受けプレート３４ａに載せる。そして、送風機ユニット２０の上部の押えプレート２３ｂが熱交換器ユニット３０の上部受けプレート３６ａに重なるように、送風機ユニット２０を熱交換器ユニット３０に対して押し付ける。
【００２８】
このとき、送風機ユニット２０のガイド孔２３ｄを熱交換器ユニット３０のガイド突起体３５の突起片３５ａに位置づければ、そのガイド突起体３５がガイド孔２３ｄに簡単に入り込むようになる。
【００２９】
すなわち、送風機ユニット２０のガイド孔２３ｄの上端２３ｄ１が幅広であり、且つ、送風機ユニット２０の乗せ突起プレート２３ｃを熱交換器ユニット３０の下部受けプレート３４ａの先端部分に乗せた際に、熱交換器ユニット３０のガイド突起体３５が送風機ユニット２０のガイド孔２３ｄの上端２３ｄ１に近い部分に位置することになるので、ガイド孔２３ｄがガイド突起体３５に対して横方向に多少ずれていても容易に入り込む。
【００３０】
そして、送風機ユニット２０の乗せ突起プレート２３ｃが熱交換器ユニット３０の下部受けプレート３４ａに沿って滑り込んで、送風機ユニット２０の押えプレート２３ｂが熱交換器ユニット３０の上部受けプレート３６ａに密着する際に、ガイド突起体３５がガイド孔２３ｄの幅狭の下端２３ｄ２に嵌合状態で入り込むので、送風機ユニット２０と熱交換器ユニット３０の間において、横方向へのガタツキが無くなる。
【００３１】
以上により、送風機ユニット２０と熱交換器ユニット３０は、最終的には図５に示すように、その送風機ユニット２０の下部の乗せ突起２３ｃの下面が熱交換器ユニット３０の下部の受けプレート３４ａの上面に乗り、送風機ユニット２０の上部の押えプレート２３ｂの下面が熱交換器ユニット３０の上部の受け斜面３６ａの上面に重なり、そのガイド突起体３５がガイド孔２３ｄに入り込んで、送風機ユニット２０の接合面Ｈ１と熱交換器ユニット３０の接合面Ｈ２が密着するようになる。
【００３２】
この後、送風機ユニット２０の押えプレート２３ｂを熱交換器ユニット３０の上部受けプレート３６ａに対してネジ止めし、さらに図１および図３に示すように、送風ユニット２０と熱交換器ユニット３０の側面を連結部材Ｂ３で連結すれば、送風機ユニット２０と熱交換器ユニット３０の組み立てが完了する。
【００３３】
なお、この熱交換器ユニット３０の両側の接合縦板３３、下側の接合横板３４、及び受けプレート３６ａに、シール部材（図示せず）を貼付しておけば、送風機ユニット２０と熱交換器ユニット３０の密着状態は完全となり、送風機ユニット２０の開口２３ａや熱交換器ユニット３０の開口３７を通過する空気が外部に漏れることはない。
【００３４】
また、以上の実施例では送風機ユニット２０に押えプレート２３ｂと乗せプレート２３ｃを設け、熱交換器ユニット３０に上部受けプレート３６ａと下部受けプレート３４ａを設けた。しかし、逆に、熱交換器ユニット３０に押えプレート２３ｂと同様な押えプレートおよび乗せプレート２３ｃと同様な乗せプレートを設け、送風機ユニット２０に上部受けプレート３６ａと同様な上部受けプレートおよび下部受けプレート３４ａと同様な下部受けプレートを設けても良い。さらに、送風機ユニット２０にガイド突起体３５と同様なガイド突起を設け、熱交換器ユニット３０にガイド孔２３ｄと同様なガイド孔を設けてもよい。
【符号の説明】
【００３５】
１０：ダクト型空気調和機
２０：送風機ユニット、Ｈ１：接合面、２１：筐体、２２：空気吸込口、２３：接合板、２３ａ：開口、２３ｂ：押えプレート、２３ｃ：乗せ突起プレート、２３ｄ：ガイド孔、２３ｄ１：幅広の上端、２３ｄ２：幅狭の下端
３０：熱交換器ユニット、Ｈ２：接合面、３１：筐体、３２：空気吹出口、３３：接合縦板、３４：接合横板、３４ａ：下部受けプレート、３５：ガイド突起体、３５ａ：突起片、３５ｂ：取付片、３６：上板、３６ａ：上部受けプレート、３７：開口
４０：送風ファン
５０：熱交換器
６０：ドレンパン
７０：天井板、７１：吸込グリル、７２：吹出グリル
８０：建屋天井壁
９０Ａ：吸込ダクト、９０Ｂ：吹出ダクト
１００：従来のダクト型空気調和機、１１１：空気吸込口、１１２：空気吹出口
２００：従来の送風機ユニット、２１０：筐体、２１１：空気吸込口、Ｈ３：接合面、２１２：押えプレート、２１３：乗せ突起プレート、２１４：ガイド突起
３００：熱交換器ユニット、３１０：筐体、３１１：空気吹出口、Ｈ４：接合面、３１２：受け斜面、３１３：受けプレート、３１４：ガイド縦プレート
【図１】
2016173205.tif 000003
【図２】
2016173205.tif 000004
【図３】
2016173205.tif 000005
【図４】
2016173205.tif 000006
【図５】
2016173205.tif 000007
【図６】
2016173205.tif 000008
【図７】
2016173205.tif 000009
【図８】
2016173205.tif 000010